(57)【要約】【課題】ドラム内部をブロアにより負圧にしドラムの外周面に記録紙を吸着する際に、露光ユニット内部が負圧なって現像ユニット側からの空気が入り込むことで排紙出口近傍が結露し記録紙の搬送不良が発生することを防止できる画像記録装置を提供する。【解決手段】この画像記録装置は、ドラム１０の内部を装置外部の吸引ブロアＰ１により吸引することで記録紙をドラムの外周面に吸着し記録紙に露光を行ってから記録紙を出口１９へと搬送する露光ユニット１１を備え、吸引ブロアの排気風を露光ユニット内に戻し装置内部を正圧状態に保つことで、外部からの空気の入り込みを防止し、結露を防ぐ。また、出口近傍の記録紙のガイド部材に吸引ブロアの排気風を導くことで、ガイド部材を高温にし結露を防ぐ。【選択図】  図１
2004284713.tif 000002
【特許請求の範囲】
【請求項１】
ドラム内部を装置外部の吸引手段により吸引することでシート状の記録材料を前記ドラムの外周面に吸着し前記記録材料に露光を行ってから前記記録材料を出口へと搬送する露光ユニットを備える画像記録装置であって、前記吸引手段の排気風を前記露光ユニット内に戻し装置内部を正圧状態に保つように構成したことを特徴とする画像記録装置。
【請求項２】
ドラム内部を装置外部の吸引手段により吸引することでシート状の記録材料を前記ドラムの外周面に吸着し前記記録材料に露光を行ってから前記記録材料をガイド部材で案内しながら出口へと搬送する露光ユニットを備える画像記録装置であって、
前記吸引手段の排気風を前記ガイド部材に導くように構成したことを特徴とする画像記録装置。
【請求項３】
前記吸引手段の排気風を全て前記ガイド部材に導くことを特徴とする請求項２に記載の画像記録装置。
【請求項４】
前記吸引手段の排気風の一部を前記ガイド板に導き、その他を装置内部の別の部分に導くことを特徴とする請求項２に記載の画像記録装置。
【請求項５】
前記吸引手段の排気風の一部を前記ガイド板に導き、その他を装置外部に排気することを特徴とする請求項２に記載の画像記録装置。
【請求項６】
ドラム内部を装置外部の吸引手段により吸引することでシート状の記録材料を前記ドラムの外周面に吸着し前記記録材料に露光を行ってから前記記録材料を出口へと搬送する露光ユニットを備える画像記録装置であって、
装置内部の圧力を検出する検出手段と、
前記検出された装置内部の圧力が負圧のときに正圧となるように前記装置内部に送風する送風手段と、を備えることを特徴とする画像記録装置。
【請求項７】
ドラム内部を装置外部の吸引手段により吸引することでシート状の記録材料を前記ドラムの外周面に吸着し前記記録材料に露光を行ってから前記記録材料をガイド部材で案内しながら出口へと搬送する露光ユニットを備える画像記録装置であって、
前記ガイド部材の温度またはその近傍の温度を検出する温度検出手段と、
前記検出された温度が設定温度以下のとき前記吸引手段の排気風の一部を前記ガイド部材に導きその他を装置内部の別の部分に導き、設定温度以上のとき前記排気風の全てを前記装置内部の別の部分に導くように送風路を切り替える切り替え手段と、を備えることを特徴とする画像記録装置。
【請求項８】
前記装置内部に送風する送風手段を更に備え、
前記検出された温度が設定温度以下のとき前記排気風の一部を前記ガイド部材に導きその他を装置外部に排気し、設定温度以上のとき前記送風手段により装置内部に送風して正圧状態にすることを特徴とする請求項７に記載の画像記録装置。
【請求項９】
前記検出された温度が設定温度以下のとき前記排気風の一部を前記ガイド部材に導きその他を装置外部に排気する場合、前記送風手段により装置内部に送風して正圧状態にすることを特徴とする請求項８に記載の画像記録装置。
【請求項１０】
前記出口を通して搬送された前記露光後の記録材料を現像処理する現像ユニットが前記露光ユニットに接続されていることを特徴とする請求項１乃至９のいずれか１項に記載の画像記録装置。
【発明の詳細な説明】
【０００１】
【発明の属する技術分野】
本発明は、吸引により記録材料を保持し画像記録を行う画像記録装置に関するものである。
【０００２】
【従来の技術】
従来、露光ユニットでドラム上の記録材料にレーザ光で露光し続いて現像ユニットで現像処理し画像記録を行う画像記録装置が公知である（例えば、下記特許文献１参照）。露光ユニットではドラムの外周面に孔を設け、ブロワに接続し、ドラム内部を負圧にしてドラムの外周面に記録紙を吸着する。この場合、ブロワの排気風を機外に排出しているため、露光ユニットの装置内部は負圧状態となっている。このため、現像ユニット側から湿度の高い空気を取り込むことになり、機内温度が低い場合に露光ユニットの排紙出口のガイド板が結露し、この結露による水分でガイド板に記録紙が貼り付き、搬送不良が発生し易くなる。
【０００３】
【特許文献１】
特開２００１−２１５６２４公報
【０００４】
【発明が解決しようとする課題】
本発明は、上記従来技術の問題に鑑み、ドラム内部を負圧にしドラムの外周面に記録紙を吸着する際に、露光ユニット内部が負圧なって現像ユニット側からの空気が入り込むことで排紙出口近傍が結露し記録紙の搬送不良が発生することを防止できる画像記録装置を提供することを目的とする。
【０００５】
【課題を解決するための手段】
上記目的を達成するために、本発明による画像記録装置は、ドラム内部を装置外部の吸引手段により吸引することでシート状の記録材料を前記ドラムの外周面に吸着し前記記録材料に露光を行ってから前記記録材料を出口へと搬送する露光ユニットを備える画像記録装置であって、前記吸引手段の排気風を前記露光ユニット内に戻し装置内部を正圧状態に保つように構成したことを特徴とする。
【０００６】
この画像記録装置によれば、吸引手段の排気風を露光ユニット内に戻し装置内部を正圧状態に保つことができるので、外部からの空気が入り込まず、出口及びその近傍のガイド部材等における結露を防止でき、記録材料の搬送不良を防止できる。
【０００７】
本発明による別の画像記録装置は、ドラム内部を装置外部の吸引手段により吸引することでシート状の記録材料を前記ドラムの外周面に吸着し前記記録材料に露光を行ってから前記記録材料をガイド部材で案内しながら出口へと搬送する露光ユニットを備える画像記録装置であって、前記吸引手段の排気風を前記ガイド部材に導くように構成したことを特徴とする。
【０００８】
この画像記録装置によれば、高温となっている吸引手段の排気風をガイド部材に導くことでガイド部材の温度を上昇させることができ、装置内部が負圧になっている場合でも結露を防止でき、記録材料の搬送不良を防止できる。
【０００９】
上記画像記録装置において前記吸引手段の排気風を全て前記ガイド部材に導くように構成できる。また、前記吸引手段の排気風の一部を前記ガイド板に導き、その他を装置内部の別の部分に導くようにでき、たとえばこの別の部分に導くことで装置内部を正圧状態にできる。また、前記吸引手段の排気風の一部を前記ガイド板に導き、その他を装置外部に排気するように構成してもよい。
【００１０】
本発明による更に別の画像記録装置は、ドラム内部を装置外部の吸引手段により吸引することでシート状の記録材料を前記ドラムの外周面に吸着し前記記録材料に露光を行ってから前記記録材料を出口へと搬送する露光ユニットを備える画像記録装置であって、装置内部の圧力を検出する検出手段と、前記検出された装置内部の圧力が負圧のときに正圧となるように前記装置内部に送風する送風手段と、を備えることを特徴とする。
【００１１】
この画像記録装置によれば、装置内部が負圧のとき、送風手段の送風により正圧とするので、外部からの空気が入り込まず、出口及びその近傍における結露を防止でき、記録材料の搬送不良を防止できる。
【００１２】
本発明による更に別の画像記録装置は、ドラム内部を装置外部の吸引手段により吸引することでシート状の記録材料を前記ドラムの外周面に吸着し前記記録材料に露光を行ってから前記記録材料をガイド部材で案内しながら出口へと搬送する露光ユニットを備える画像記録装置であって、前記ガイド部材の温度またはその近傍の温度を検出する温度検出手段と、前記検出された温度が設定温度以下のとき前記吸引手段の排気風の一部を前記ガイド部材に導きその他を装置内部の別の部分に導き、設定温度以上のとき前記排気風の全てを前記装置内部の別の部分に導くように送風路を切り替える切り替え手段と、を備えることを特徴とする。
【００１３】
この画像記録装置によれば、ガイド部材またはその近傍の温度が設定温度以下となって結露が生じ易くなったら、吸引手段からの高温となっている排気風の一部をガイド部材に導くことで、ガイド部材及びその近傍における結露を防止でき、記録材料の搬送不良を防止でき、また、装置内部の別の部分に導くことで正圧状態にできる。設定温度以上のときは排気風の全てを装置内部の別の部分に導くことで正圧状態にできる。装置内部を正圧状態にすることで外部からの空気の入り込みを防止できる。
【００１４】
上記画像記録装置において前記装置内部に送風する送風手段を更に備え、前記検出された温度が設定温度以下のとき前記排気風の一部を前記ガイド部材に導きその他を装置外部に排気し、設定温度以上のとき前記送風手段により装置内部に送風して正圧状態にするように構成できる。これにより、ガイド部材またはその近傍の温度が設定温度以下となって結露が生じ易くなったら、高温となっている排気風の一部をガイド部材に導くことで、ガイド部材における結露を防止できる一方、設定温度以上のとき送風手段で正圧状態を保つので、装置内部の温度上昇を避けながら外部からの空気の入り込みを防止できる。
【００１５】
上述のように、前記検出された温度が設定温度以下のとき前記排気風の一部を前記ガイド部材に導きその他を装置外部に排気する場合、前記送風手段により装置内部に送風して正圧状態にするように構成してもよい。
【００１６】
上記各画像記録装置において、前記出口を通して搬送された前記露光後の記録材料を現像処理する現像ユニットが前記露光ユニットに接続されているように構成できる。現像ユニットが接続されていても現像ユニット側の空気による出口及びその近傍のガイド部材における結露を防止できる。
【００１７】
【発明の実施の形態】
以下、本発明による第１乃至第３の実施の形態について図面を用いて説明する。図１は第１の実施の形態による画像記録装置の内部を正面側から見た図である。図２は図１の画像記録装置のドラム及び光学ユニットを上部から見た要部平面図である。
【００１８】
図１に示すように、第１の実施の形態による画像記録装置１は、記録材料に露光し画像を形成する露光ユニット１１と、露光された記録材料を現像する現像ユニット２１と、を備える。露光ユニット１１は、内部にロール状に巻かれた記録材料である記録紙を収納した専用のカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙を外周面に真空吸引し保持しながら主走査のために回転方向Ｒに回転するドラム１０と、ドラム１０上の記録紙に対しやＬＥＤ光やレーザ光等の光ビームを露光する光学ユニット１６と、光学ユニット１６を副走査のために副走査方向（図１の紙面垂直方向）に搬送する副走査部１７と、画像記録後のドラム上の記録紙を剥離する剥離部材１５と、を備える。露光後の記録紙は出口１９及び接続部１９ａを通して現像ユニット２１へと搬送される。
【００１９】
図１の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００２０】
図２のように、画像記録装置１のドラム１０は、回転軸部１４の回転軸１４ａ及び回転軸部１８の回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム回転モータＭ６の出力プーリ３５ｂとベルト３６により連結され、ドラム回転モータＭ６の駆動によりドラム１０が回転する。また、ドラム１０の回転軸１５ａには、ロータリーエンコーダ３７が設けられ、回転パルスを出力してドラム回転に同期した画素クロック制御に用いる。
【００２１】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて記録紙がドラム１０の表面に吸着される。
【００２２】
光学ユニット１６は、副走査部１７によりドラム軸と平行に移動可能に構成され、デジタル画像信号を受けてドラム１０に吸着された記録紙に光ビームで露光して画像の書き込みを行う。図４に示すように、光学ユニット１６には、３波長の光源、例えばＢ、Ｇ、Ｒ用の光源としてＬＥＤユニット３２０、ＬＥＤユニット３２１、ＬＥＤユニット３２２が配置されている。各ＬＥＤユニット３２０，３２１，３２２からの光ビームは、ミラー３２５、３２６、３２７を介して、集光レンズ３３１からドラム１０上の記録紙に画像を露光する。露光シャッタ３３２は露光ソレノイド３３３により開閉することで、露光開始／終了時に光路の開閉を行なう。
【００２３】
光学ユニット１６は、移動ベルト３４０に固定され、一対のガイドレール３４１、３４２に案内されてドラム軸と平行方向に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に移動する。
【００２４】
図１，図２示すように、吸引ブロアＰ１は、画像記録装置１の外部に設置され、内部に空気吸引ポンプ５０を有し、露光ユニット１１で露光開始前にドラム１０内を負圧にし記録紙を外周面に吸着するためにドラム１０に吸引連結管５１を通して連結されている。また、吸引ブロアＰ１の排気風を装置内部に戻すために吸引ブロアＰ１の排気連結管５２が露光ユニット１１側の装置筐体１１ａ内に連結されている。これにより、吸引ブロアＰ１からドラム１０に対し吸引が開始されても装置筐体１１ａ内をほぼ正圧状態にできる。
【００２５】
また、図１の破線で示すように、装置筐体１１ａの背面側には装置内部の温度上昇を防ぐために装置外部の空気を取り込む冷却用ファン１１ｂが設けられており、装置がスタンバイ状態となると駆動するようになっている。
【００２６】
次に、図１の画像記録装置１の出口１９及びその近傍の構成を図３を参照して説明する。図３は図１の出口及びその近傍のガイド部材を拡大して示す要部正面図である。
【００２７】
図３に示すように、画像記録装置１の出口１９の近傍には、剥離部材１５で剥離されて搬送ローラ対５３で搬送された記録紙Ｓを出口１９へと案内するガイド部材５４と、ガイド部材５４の下流側と出口１９との間に配置されたシャッタ板５５と、が設けられている。ガイド部材５４は、記録紙の上面側を案内する上ガイド５４ａと、下面側を案内する下ガイド５４ｂと、を有する。
【００２８】
シャッタ板５５は、記録紙Ｓの搬送のタイミングに合わせてモータ５７によるアーム５６の駆動で図３の上方向Ｖに持ち上げられることによりガイド部材５４の下流側を開き、また、逆に動作することで閉じるようになっている。
【００２９】
次に、図１乃至図３の画像記録装置１の動作を説明する。まず、図１の露光ユニット１１において、装填部１２または１２’のカートリッジ１３から記録紙を給送部１４を通してドラム１０に給送し、記録紙をカッタ１０ａで切断し、記録紙をドラム１０の外周面に真空吸引し保持し、光学ユニット１６からレーザ光をドラム１０上の記録紙に対し露光する。この露光時にドラム１０を回転方向Ｒに回転させて主走査し、光学ユニット１６を副走査部１７で副走査することで、記録紙に画像記録を行う。画像記録後、剥離部材１５が破線の位置から実線の位置へとドラム１０に接近し記録紙をドラム１０から剥離した後、記録紙を出口１９に導く。
【００３０】
図３のように、搬送ローラ対５３により記録紙Ｓがガイド部材５４で案内されながら搬送されてくると、そのタイミングに合わせてシャッタ板５５が持ち上げられることによりガイド部材５４の下流側が開き、記録紙Ｓが出口１９へと送られ、更に現像ユニット２１との間の接続部１９ａに送られる。
【００３１】
次に、現像ユニット２１では、出口１９から接続部１９ａを通して送られてきた露光後の記録紙について現像部２３、定着部２４、安定部２５、乾燥部２６で各処理を行い、画像記録がされた記録紙を搬送ローラ対２７ａ等により排出部２７から装置外部の記録紙受部２８へと排出する。
【００３２】
上述のような画像記録において、画像記録装置１はスタンバイ状態のとき冷却用ファン１１ｂの駆動により装置内部が正圧状態となっている一方、記録紙がドラム１０に巻き付けられ吸引ブロワＰ１の吸引が開始されると、装置内部は負圧状態となろうとするが、吸引ブロワＰ１の排気風が装置筐体１１ａの内部に戻されているので、装置内部はほぼ正圧状態を維持できる。
【００３３】
通常の露光動作においては図３のシャッタ板５５がガイド部材５４の下流側を閉じているので、シャッタ板５５が抵抗となり現像ユニット２１側からの接続部１９ａを介した空気の吸い込み量は僅かであり、装置筐体１１ａに設けられた空気取り込み用孔から外気が吸い込まれる一方、シャッタ板５５が開き記録紙Ｓが出口１９，接続部１９ａを通して現像ユニット２１へ搬送されている途中で次の露光動作のために吸引ブロアＰ１がドラム１０内部を吸引し始めると、装置内部が負圧状態であると、シャッタ板５５が開いているため現像ユニット２１側から比較的湿度の高い空気が装置内部に入り込んでしまうのであるが、本実施の形態では、排気ブロアＰ１の排気風を装置筐体１１ａ内に戻すことで、装置内部がほぼ正圧となり、現像ユニット２１側からの比較的湿度の高い空気の吸い込みがなくなり、ガイド部材５４及びその近傍の温度が低い場合でも、急激な温度変化が起こらないため結露が発生しなくなる。このため、ガイド部材５４及びその近傍において結露の水分による記録紙Ｓの搬送不良を防止できる。特に、上ガイド５４ａに結露が発生すると、記録紙Ｓの搬送不良が発生し易くなるのであるが、上述の通り現像ユニット２１側からの比較的湿度の高い空気の吸い込みがなくなるので、下ガイド５４ｂも含めて上ガイド５４ａにおける結露を防止し、記録紙Ｓの搬送不良を効果的に防止できるのである。
【００３４】
次に、第２の実施の形態の画像記録装置について図４を参照して説明する。図４は、図１の装置筐体１１ａと吸引ブロアＰ１とを示す要部正面図である。本実施の形態は、図１乃至図３の画像記録装置１において吸引ブロアの排気風の一部をガイド部材の近傍に導き、ガイド部材及びその近傍を高温にし、結露を防止するようにしたものである。
【００３５】
即ち、図４のように、吸引ブロアＰ１の排気連結管５２の途中に分岐管を設け、一端６０は装置筐体１１ａ内に延び、図３の破線で示すようにガイド部材５４の近傍まで延びており、その他端５２ａは装置外部に開放している。吸引ブロアＰ１の排気風は５０〜９０℃と高温となっているため、上下ガイド５４ａ、５４ｂ及びその近傍が高温となる。
【００３６】
図１乃至図４の第２の実施の形態によれば、吸引ブロワＰ１からの５０〜９０℃の高温となった排気風の一部を結露の発生し易いガイド部材５４に導くことで上下ガイド５４ａ、５４ｂ及びその近傍の温度が上昇し、上下ガイド５４ａ、５４ｂ及びその近傍において結露が発生しなくなる。このようにガイド部材５４及びその近傍の温度が上昇していれば、装置内部が負圧になって現像ユニット２１側から空気が吸い込まれたとしても結露が発生しない。このため、ガイド部材５４、特に上ガイド５４ａ及びその近傍において結露の水分による記録紙Ｓの搬送不良を防止できる。
【００３７】
また、吸引ブロワＰ１からの排気風の一部をガイド部材５４に当て、残りを装置外部に排気するので、排気風の全部を当てた場合に風が強すぎて搬送の妨げになるようなことはない。
【００３８】
なお、吸引ブロワＰ１からの排気風を全てガイド部材５４に導いても搬送の妨げにならないような場合には、図４の他端５２ａを省略し排気風の全てをガイド部材５４に導いてもよい。また、図４において、他端５２ａを装置筐体１１ａ内に連結するようにしてもよく、これにより装置内部を正圧状態にでき、現像ユニット２１側からの空気の吸い込みがない。
【００３９】
次に、第３の実施の形態の画像記録装置について図５、図６を参照して説明する。図５は、第３の実施の形態による画像記録装置の内部を正面側から見た図である。図６は、図５の温度センサ、圧力センサ、送風ブロア及び切り替えバルブに関する配管系及び制御系を示す図である。
【００４０】
図５に示すように、本実施の形態による画像記録装置８１は、図１〜図３の構成に加えて、装置筐体１１ａ内に連結管６９ａを通して送風ポンプ６９により送風するための送風ブロアＰ２と、装置筐体１１ａ内の圧力を検出するための圧力センサ７２と、図３のガイド部材５４の近傍の温度を検出するための温度センサ７１（図３の１点鎖線で示す）と、を備える。
【００４１】
また、画像記録装置８１は、図６に示すように、温度センサ７１で検出された温度が設定温度以下のとき吸引ブロアＰ１の排気風の一部を配管６０で図３の破線で示すようにガイド部材５４に導きその残りを配管６２で装置筐体１１ａ内の別の部分に導き、設定温度以上のとき排気風の全てを配管６２で装置筐体１１ａ内の別の部分に導くように送風路を切り替える切り替えバルブ６１を備え、更に、温度センサ７１、圧力センサ７２、送風ブロアＰ２及び切り替えバルブ６１等を制御する制御部７０を備える。
【００４２】
図５，図６の画像記録装置８１によれば、図１乃至図３の画像記録装置１と同様に記録紙に露光し画像記録を行うことができるが、ガイド部材及びその近傍における結露防止を次のようにして行っている。
【００４３】
図５，図６において、吸引ブロアＰ１が作動し、温度センサ７１で検出した温度が設定温度以上であると、排気連結管５２を通して排気風が切り替えバルブ６１で切り替えられた配管６２から筐体１１ａ内に導かれることで装置内部を正圧状態にできる。これにより、現像ユニット２１側からの空気の入り込みを防止でき、上下ガイド５４ａ、５４ｂにおける結露を防止できる。
【００４４】
一方、図３，図５のようにガイド部材５４の近傍に配置した温度センサ７１で検出した温度が設定温度以下となったら、制御部７０が切り替えバルブ６１を制御し送風路を配管６０に切り替え、比較的高温の排気風をガイド部材５４及びその近傍に導くことで、ガイド部材５４及びその近傍の温度を上昇させる。これにより、上下ガイド５４ａ、５４ｂ及びその近傍における温度低下による結露を防止できる。このため、ガイド部材５４、特に上ガイド５４ａ及びその近傍において結露の水分による記録紙Ｓの搬送不良を防止できる。なお、この場合、排気風の一部を配管６０に送り、残りを配管６２に送るように切り替えバルブ６１を構成してもよい。また、温度センサ７１の設定温度は現像ユニット２１で発生するガス成分を含む水分の露点等を考慮して制御部７０で設定可能である。
【００４５】
図５，図６の画像記録装置８１によるガイド部材及びその近傍における結露防止は次のようにして行ってもよい。即ち、図５の配管６２を筐体１１ａの外まで延ばし、温度センサ７１で検出した温度が設定温度以下のとき排気風の一部をガイド部材５４に導き、その残りは配管６２を通して装置外部に排気する。これにより、上下ガイド５４ａ、５４ｂ及びその近傍における温度低下による結露を防止できるとともに、５０〜９０℃と比較的高温の排気風の量が多く装置内部に残りを戻すと装置内部の温度上昇が起こるおそれのある場合、かかる温度上昇を防止できる。なお、この場合、送風ブロアＰ２から装置筐体１１ａ内に連結管６９ａを通して送風して装置内部を正圧状態にするようにしてもよい。
【００４６】
一方、温度センサ７１で検出した温度が設定温度以上のとき送風ブロアＰ２から装置内部に送風して正圧状態にすることにより、装置内部の温度上昇を避けながら現像ユニット２１側からの空気の入り込みを防止できる。
【００４７】
更に、図５，図６の画像記録装置８１によるガイド部材及びその近傍における結露防止は次のようにして行ってもよい。即ち、圧力センサ７２で装置内部が負圧であることを検出すると、制御部７０が送風ブロアＰ２を制御し送風ブロアＰ２から装置内部に送風して正圧状態にする。これにより、現像ユニット２１側からの空気が装置内部に入り込まず、上下ガイド５４ａ、５４ｂ及びその近傍における結露を防止でき、記録紙の搬送不良を防止できる。なお、この場合、温度センサ７１の検出により上述の吸引ブロアＰ１からの排気風の制御を行ってもよい。
【００４８】
以上のように本発明を実施の形態により説明したが、本発明はこれらに限定されるものではなく、本発明の技術的思想の範囲内で各種の変形が可能である。例えば、図３において、排気風をガイド部材５４に導く配管６０の出口は、結露の発生し易い位置等を考慮して適宜変更可能であり、例えば、上ガイド５４ａ側に変更してもよく、上下ガイド５４ａ、５４ｂ側の両方に設けてもよい。また、温度センサ７１や圧力センサ７２の各位置も適宜変更可能である。
【００４９】
【発明の効果】
本発明の画像記録装置によれば、ドラム内部を負圧にしドラムの外周面にシート状の記録材料を吸着する際に、記録材料の出口、ガイド部材及びその近傍における結露の発生を防ぐことができ、記録材料の搬送不良の発生を防止できる。
【図面の簡単な説明】
【図１】第１の実施の形態による画像記録装置の内部を正面側から見た図である。
【図２】図１の画像記録装置のドラム及び光学ユニットを上部から見た要部平面図である。
【図３】図１の出口及びその近傍のガイド部材を拡大して示す要部正面図である。
【図４】第２の実施の形態の画像記録装置を説明するための図であり、図１の装置筐体と吸引ブロアとを示す要部正面図である
【図５】第３の実施の形態による画像記録装置の内部を正面側から見た図である。
【図６】図５の温度センサ、圧力センサ、送風ブロア及び切り替えバルブに関する配管系及び制御系を示す図である。
【符号の説明】
１・・・画像記録装置
１０・・・ドラム
１１・・・露光ユニット
１１ａ・・・筐体
１９・・・出口
１９ａ・・・接続口
２１・・・現像ユニット
５４・・・ガイド部材
６０，６２・・・配管
６１・・・切り替えバルブ
７１・・・温度センサ
７２・・・圧力センサ
Ｐ１・・・吸引ブロア
Ｐ２・・・送風ブロア
【図１】
2004284713.tif 000003
【図２】
2004284713.tif 000004
【図３】
2004284713.tif 000005
【図４】
2004284713.tif 000006
【図５】
2004284713.tif 000007
【図６】
2004284713.tif 000008